(57)【要約】【課題】本発明は、上記問題に鑑みなされたもので、キャビネット側にガイドを設けることなく、ワゴンの挿入開始時は隙間が広く入れ易く、挿入終了時にはワゴンはキャビネットの横方向に対しほぼ中央へ自然に収納され、隣接するキャビネットがある場合にも扉を傷付けることなく出し入れすることができ、使い勝手のよい扉付きワゴンとそれを収納するキャビネット、キッチン、洗面化粧台を提供することを目的とする。【解決手段】本発明は、キャスター付ワゴンと、このワゴンを収納する収納空間とを備える収納キャビネットにおいて、前記ワゴンが前面に扉を、後面に緩衝材を有し、前記扉が収納空間の横幅より広く、前記ワゴンの横幅が、前面側から、後面側に向かって狭くなる、収納キャビネットである。【選択図】図６
2007135895.tif 000002
【特許請求の範囲】
【請求項１】
キャスター付ワゴンと、このワゴンを収納する収納空間とを備える収納キャビネットにおいて、前記ワゴンの横幅が前面側から後面側に向かって狭くなる収納キャビネット。
【請求項２】
請求項１において、ワゴンが緩衝材を有する収納キャビネット。
【請求項３】
請求項２において、緩衝材がローラー形状であり、回転可能に取り付けられた収納キャビネット。
【請求項４】
請求項１〜３の何れかにおいて、ワゴンに扉を設けた収納キャビネット。
【請求項５】
請求項４において、扉が収納空間の横幅よりも広い収納キャビネット。
【請求項６】
請求項４、又は５の何れかにおいて、収納キャビネットが複数の引出を備え、この引出の扉間の隙間が、前記ワゴンの扉とこれに隣接する引出の扉との隙間に等しい収納キャビネット。
【請求項７】
請求項１〜６の何れかの収納キャビネットが用いられたキッチン又は洗面化粧台。
【発明の詳細な説明】
【技術分野】
【０００１】
本発明は、ワゴンを備えた収納キャビネットに関する。
【背景技術】
【０００２】
ワゴンをキャビネットに収納する方法として、キャビネット前面の一部に床面と同高さから開口される部分を設け、前面側に扉を具備したワゴンを、キャビネットの前面側から収納することで、ワゴン自体を隠し、見た目も美しくする方法が知られている。（特許文献１）
しかし、図１２、図１３に示すように、従来の扉付きワゴン９は、キャビネットの前面側から収納空間１０にワゴン９を収納する際、ワゴン９の側面と収納空間１０の左右の内壁１１との隙間（前方隙間１２、後方隙間１３）が小さいため、ワゴン９がキャビネットの前面に衝突することが多く、ワゴン９の挿入が容易ではなかった。
【０００３】
このため図１４、図１５に示すように、ワゴン９の幅を小さくし、ワゴン９の側面と収納空間１０の左右の内壁１１との隙間（前方隙間１２、後方隙間１３）を広げて収納を容易にする方法が考えられるが、収納終了時にワゴン９の横方向の位置を、キャビネットの収納空間１０の横幅の中央に合わせることが難しく、ワゴンの扉の位置がずれ易いため、見た目が悪くなるばかりか、隣接する引出が存在する場合、図１５に示すように、ワゴン９の扉と隣接する引出の扉が接触し、傷をつけてしまう恐れがある。
【０００４】
また、図１６、図１７に示すように、キャビネットの収納空間１０の左右の内壁１１に、収納開始時に開口部が幅広となり、収納途中で幅狭になるガイド１８を設けることが知られている。（特許文献２）
しかし、部品が多くなり高価なキャビネットとなってしまう上、例えば、ワゴン９をキャビネットの収納空間１０の外にて使用する場合、キャビネットの収納空間１０の内壁１１のガイド１８が丸見えになってしまい、見た目が悪いといった問題があった。
【特許文献１】特開昭６３−９７１０９号公報
【特許文献２】特開２０００−３４４１０９号公報
【発明の開示】
【発明が解決しようとする課題】
【０００５】
本発明は、上記問題に鑑みなされたもので、キャビネットの収納空間の左右の内壁にガイド等を設けることなく、ワゴンの収納開始時は隙間が広く入れ易く、収納終了時にはワゴンはキャビネットの収納空間の幅方向に対しほぼ中央へ自然に収納され、隣接する引出がある場合にもその引出の扉を傷付けることなく出し入れすることができ、使い勝手のよい扉付きワゴンとそれを収納するキャビネット、キッチン、洗面化粧台を提供することを目的とする。
【課題を解決するための手段】
【０００６】
（１）  本発明は、キャスター付ワゴンと、このワゴンを収納する収納空間とを備える収納キャビネットにおいて、前記ワゴンの横幅が前面側から後面側に向かって狭くなる収納キャビネットである。
（２）  項（１）において、ワゴンが緩衝材を有する収納キャビネットである。
（３）  項（２）において、緩衝材がローラー形状であり、回転可能に取り付けられた収納キャビネットである。
（４）  項（１）〜（３）の何れかにおいて、ワゴンに扉を設けた収納キャビネットである。
（５）  項（４）において、扉が収納空間の横幅よりも広い収納キャビネットである。
（６）  項（４）、又は（５）の何れかにおいて、収納キャビネットが複数の引出を備え、この引出の扉間の隙間が、前記ワゴンの扉とこれに隣接する引出の扉との隙間に等しい収納キャビネットである。
（７）  項（１）〜（６）の何れかの収納キャビネットが用いられたキッチン又は洗面化粧台である。
【発明の効果】
【０００７】
本発明によれば、キャビネット側にガイドを設けることなく、ワゴンの収納開始時は隙間が広く入れ易く、収納終了時にはワゴンはキャビネットの幅方向に対し中央に向かって自然に収納され、隣接する引出がある場合にも、その引出の扉を傷付けることなく出し入れすることができ、使い勝手が向上する。（請求項１）
【０００８】
ワゴンに緩衝材を設けた場合は、収納空間の内壁にワゴンが接触して擦れたりしても、傷が着きにくくなる。（請求項２）
【０００９】
緩衝材がローラー形状であり、ワゴンに回転可能に取り付けられた場合は、収納空間の内壁にワゴンが接触したりしても、摩擦による嫌な音を発生させにくくなる。（請求項３）
【００１０】
ワゴンの前面に扉を設けた場合は、収納空間に収納した状態ではワゴン本体を収納キャビネットとして認識させ、見た目を美しくする効果を有する。（請求項４）
【００１１】
ワゴンの扉を収納空間の横幅よりも広くした場合は、ワゴンを収納空間に収納した際に、扉が収納空間の入口に引っかかることにより、ワゴンの収納の終点が明確になる。（請求項５）
【００１２】
収納キャビネットが複数の引出を備え、この引出の扉間の距離が、ワゴンの前面に設けられた扉と、これに隣接する引出の扉との距離と等しい場合は、さらに見た目を美しくする効果を有する。（請求項６）
【００１３】
上記のフレームを有するキャスター付ワゴンと収納キャビネットをキッチン又は洗面化粧台に使用した場合は、キャビネット側にガイドを設けることなく、ワゴンの挿入開始時は隙間が広く入れ易く、挿入終了時にはワゴンはキャビネットの横方向に対しほぼ中央へ自然に収納され、隣接するキャビネットがある場合にも扉を傷付けることなく出し入れすることができ、使い勝手が向上する。（請求項７）
【発明を実施するための最良の形態】
【００１４】
本発明で使用するキャスター付ワゴン（以下、「ワゴン」言う。）は、床面を移動可能なもので、キャビネットのワゴン用の収納空間に収納できるものであればよく、材質、サイズ、形状等は特に限定するものではないが、例えば図１に示すように、フレームを主体として組み立てることにより、キャスター付ワゴン（「以下、フレーム型ワゴン」と言う。）としたものは、材料費も安く、構造が簡単で組み立ても容易であり、軽量化が図れ、ある程度の強度も維持でき、設計の自由度も大きく、美感も優れる等の点で望ましい。
【００１５】
例えば図４に示すように、ワゴン９の横幅１９、２０は、キャビネットに収納した際にキャビネットの正面側からみて、前面側から後面側に向かって狭くなるようにする。かつ、例えば図５、図６に示すように、ワゴン９の前面の横幅２０をキャビネットに設けたワゴン用の収納空間（以下、「収納空間」と言う。）の横幅２１よりも狭くして、キャビネットの収納空間１０に入るように設定する。
ここで、図６に示すように、収納空間１０にワゴン９を所定位置まで挿入した時、ワゴン９側面と収納空間の内壁１１との隙間のうち、ワゴンの前面フレーム側を前方隙間１２、後面フレーム側を後方隙間１３とする。
このとき、これらの隙間は、後方隙間１３が左右両側ともに１〜数ｃｍ、前方隙間１２が１ｍｍ前後であることが望ましい。これによって、キャビネットの収納空間１０の内壁１１にガイド１８を設けることなく、収納空間１０への挿入開始時は隙間が広く入れ易く、挿入終了時にはワゴン９はキャビネットの横方向に対しほぼ中央へ自然に収納され、隣接するキャビネットがある場合にも扉を傷付けることなく出し入れすることができる。
【００１６】
また、例えば図７に示すように、ワゴン９にゴミ箱１４を着脱できるように収納してゴミ箱ワゴンとすると、ゴミ箱１４を収納したまま運搬することでき、ゴミ箱１４の着脱も容易なので使い勝手がよい。ワゴン９の上面を人が腰掛けられるスツールワゴンとした場合は、料理や洗面等の際に腰掛られるので便利である。ワゴン９に引出等の収納を設けて収納ワゴンとした場合は、物が収納できる上、移動や出し入れが容易となり便利である。ワゴン９の上部に天板を設けてテーブルワゴンとした場合は、移動可能なテーブルとして使用でき、料理等を運べるので便利である。
【００１７】
前記ワゴン９を収納するキャビネット１５は、例えば図８〜図１１に示すように、ワゴン９を収納できる収納空間１０を有するものであれば特に限定するものではないが、主に、キッチンや洗面化粧台で使用されるものであると、ワゴン９をゴミ箱１８やスツール、その他の収納で使用する等の機能のバリエーションを生かすことができるため望ましい。
【００１８】
前記収納空間１０は、上記ワゴン９が収納できるものであれば、特に位置、大きさ、形状等は限定しないが、例えば図８、図９に示すように、キャビネット１５の前面の一部に床面と同高さから開口される部分を設け、ワゴン９の全体が収納できるものであることが望ましい。
特に、例えば図５に示すように、収納空間の横幅２１をワゴン９の前面フレームの横幅２０よりも２ｍｍ前後広く、ワゴン９の後面フレームの横幅１９よりも２ｃｍ〜数ｃｍ広くなるようにするのが望ましい。これにより、キャビネット１５の収納空間の内壁１１にガイド１８を設けることなく、ワゴン９の挿入開始時は隙間が広く入れ易く、挿入終了時にはワゴン９はキャビネットの収納空間１０の横方向に対しほぼ中央へ自然に収納され、隣接する引出がある場合にもその扉を傷付けることなく出し入れすることができる。
【００１９】
ワゴン９には緩衝材６を設けるのが望ましい。これにより、ワゴン９を収納空間１０に収納する際の衝突を和らげたり、滑りを良くしたりする。
緩衝材６は、衝突や接触の際の衝撃を和らげたり、滑りをよくしたりする作用を有するものであれば、材質、形状、取り付け位置等は、特に限定するものではない。材質としては、例えば、表面摩擦が少なくやや硬質の樹脂から、ポリウレタン樹脂やエラストマー、ゴム等の表面摩擦が大きく軟質なものまで使用可能である。形状や取付位置としては、尖った形状でなく、収納空間１０の入口のキャビネット前面や、収納空間の内壁１１に接触する位置に取り付けるのが望ましい。また、収納空間の内壁１１等に接触する位置としては、ワゴン９の側面、後面の何れかまたは両方、または側面の最も横幅が広い箇所等が挙げられる。
【００２０】
さらに、ワゴン９がサイドフレーム１を有するフレーム型ワゴンであれば、緩衝材６は、収納空間１０に接触し易いワゴン９の先端や両端に位置するサイドフレーム１の外側に取り付けるのが望ましい。これにより、収納空間の内壁１１への衝突や接触の際の傷が抑制される。
また、例えば図１に示すように、やや硬質の樹脂製で表面摩擦が小さい緩衝材を使用し、その緩衝材６の中央に開口を有するローラー形状とし、その開口にサイドフレーム１の一端を貫通させること等により、固定した状態で取り付けるのが望ましい。これにより、緩衝材６が収納空間の内壁１１に接触した状態でワゴン９が押込まれた場合でも、緩衝材６が収納空間の内壁１１を滑ることにより、収納空間の内壁１１に傷がつくのを抑制できる。
また、例えば図２、図３に示すように、軟質のゴム製で表面摩擦の大きい緩衝材を使用し、その緩衝材６の中央に開口を有し、内径−外径差の大きいローラー形状とし、緩衝材６が回転可能な状態で取り付けるのが望ましい。これにより、仮にワゴン９の緩衝材６が収納空間の入口の角に衝突しても、軟質なゴムが押しつぶされてへこみ衝撃を吸収するとともに、ローラーが回転して力の方向を変えて逃がしたり、ワゴンを押している操作中なら、収納空間１０の内側に誘導するといった高い効果が得られる。
【００２１】
ワゴン９の前面には、扉８として化粧板を設けるのが望ましい。化粧板（扉８）のサイズ、形状等は特に限定するものではないが、例えば図８、図９に示すように、収納空間１０の入口開口の全面を覆うサイズ、形状とすると、収納空間１０にワゴン９を収納した場合には、ワゴン９が隠れて見た目がよいので望ましい。
【００２２】
また、例えば図５に示すように、扉８の横幅２２は、ワゴン９の前面フレームの横幅２０および収納空間の横幅２１よりも広くし、かつ、ワゴンの前面フレームの横幅２０からの左右のはみ出し幅２３が、何れも収納空間の内壁１１との前方隙間１２よりも大きくするのが望ましい。
この場合には、例えば図６に示すように、ワゴン９の奥行き方向の全体が収納空間１０に挿入された時点で、前面フレームからの扉８のはみ出し幅２３の部分が、収納空間１０の入口に引っかかると同時に、ワゴン９の収納空間１０への挿入が所定位置まで完了したことがわかり、さらに、ワゴン９の収納位置が定まる効果を有するため、さらに使い勝手が向上する。
【００２３】
キャビネット１５が、ワゴン９以外に、少なくとも１つの引出を有する場合は、ワゴンの扉８の厚みをキャビネットの他の引出の扉の厚みと合せるのが望ましい。これにより、収納空間１０にワゴン９を収納した場合には、キャビネット１５の引出の扉とワゴン９の扉が面一となり見た目がよくなる。
【００２４】
キャビネット１５が、ワゴン９以外に複数の引出を有する場合は、例えば図９に示すように、ワゴン９を収納空間１０に挿入した際に、ワゴン９の扉８とキャビネットの他の引出の扉との隙間２５が、キャビネットのワゴン以外の引出の扉同士の隙間２４と同一になるようにするのが望ましい。
このようにした場合には、キャビネット全体として、各収納の扉同士の隙間が統一されるので、美感が増す。なお、この場合において、隙間の間隔は、その全部が同一である必要はなく、縦方向だけ、または横方向だけ、またはこれらの各１部についてだけ同一であってもよい。このようにすることにより、キャビネットの各引出の扉間の隙間２４とワゴンの扉とキャビネットの引出の扉との隙間２５の少なくとも１部に、間隔の統一感が得られ、美感を向上させることができる。
【００２５】
化粧板（扉８）の色彩、模様、材質等の外観は、キャビネットの本体、または、ワゴン以外の引出、扉等の外観と統一したり、一定の変化を設けるようにすると、キャビネット全体として外観の統一や変化が得られるので、美感が向上し望ましい。
【００２６】
ワゴンへの化粧板（扉８）の取り付け位置は、前面に限られず、その他の位置、例えば後面や側面に取り付けてもよい。この場合は、ワゴンをキャビネットから取り出して使用する場合でも、ワゴンの見た目がよくなり望ましい。
【００２７】
上記のキャビネットの収納空間１０、及びこれに挿入するワゴン９の動作について以下説明する。
まず、ワゴン９の収納空間１０への収納を開始しようとする時点では、例えば図５に示すように、ワゴン９と収納空間の左右内壁１１との隙間（後方隙間１３）が大きいため、ワゴン９の後面フレームの横幅１９の全体を、収納空間の横幅２１の中に位置させるのは容易である。
次に、ワゴン９が収納空間１０の奥に行くに従って、ワゴン９の側面が、緩やかに外側へ向かって広がるため、このワゴン９の側面と収納空間の左右内壁１１とが面で擦れ合い、徐々にワゴン９は収納空間１０の横幅方向の中央部へと向かう。
ワゴン９を収納空間１０に収納終了時には、例えば図６に示すように、ワゴン９の側面と収納空間の左右内壁１１との隙間（前方隙間１２）がほとんどなくなり、ワゴン９が収納空間の横幅２１のほぼ中央部に位置することになる。
【００２８】
本発明に係るキャビネット１５は特に用途は限られないが、主に、キッチンや洗面化粧台で使用されると、ワゴン９をゴミ箱１４やスツール、その他の収納で使用する等の機能のバリエーションを生かすことができるため望ましい。
また、これらの用途に使用された場合、キャビネット１５側にガイドを設けることないため、ワゴン９を収納空間１０から取り出して使用する場合でも、ワゴン９と収納空間１０の何れも美感を損なうことがない。
さらに、ワゴン９の収納開始時は隙間が広く入れ易く、収納終了時にはワゴン９は収納空間１０の横方向に対しほぼ中央へ自然に収納され、隣接する引出の扉がある場合にも、その扉を傷付けることなく出し入れすることができ、使い勝手が向上する。
【実施例１】
【００２９】
本発明の収納キャビネットの実施例１を図１、及び図４〜図１１に示す。
【００３０】
本実施例では、図１に示すように、ワゴン９が、サイドフレーム１と、そのサイドフレーム１を連結するために幅方向に伸びる複数のフレーム（背板２、ボトムバー３、蹴込み板４）と、キャスター５と、緩衝材６と、サイドバー７を有するフレーム型ワゴンを使用する。
【００３１】
サイドフレーム１は、図１、図７に示したように、上側に開いたコの字形状であり、ワゴン９の前面側を長くし、ワゴン９の前面側を覆うように化粧板（扉８）を取付ける。これにより、キャビネットに収納した際にワゴン９を隠すことができて見た目が美しくなる。また、図１、図７からわかるように、サイドフレーム１の前面側よりも後面側を短くし、ワゴン９にゴミ箱１４を載せる。これにより、図７のように、ワゴン９に載せたゴミ箱１４を着脱する際にも、サイドフレーム１が邪魔にならず、ゴミ箱１４の着脱が容易になる。
【００３２】
２本のサイドフレーム１は、背板２と、２本のボトムバー３と、蹴込み板４とによって連結され、所定の間隔で保持される。ここで、コの字形状の２本のサイドフレーム１の蹴込み板４側の部分を前面フレーム、背板２側の部分を後面フレームとし、２本のサイドフレーム１を含めた横幅をフレームの横幅とすると、図４に示すように前面フレームの横幅２０よりも、後面フレームの横幅１９の方を狭くし、かつ、図５に示すように前面フレームの横幅２０を、キャビネットに設けたワゴン用の収納空間の横幅２１よりも狭くして、キャビネットの収納空間１０に入るように設定する。このとき、ワゴン側面とキャビネット側面の隙間は、後方隙間１３（後面フレーム側）が左右両側ともに１ｃｍ程度、前方隙間１２（前面フレーム側）が１ｍｍ前後である。
これによって、キャビネット側やワゴン側にガイドを設けることなく、ワゴンの収納開始時は隙間が広く入れ易く、収納終了時にはワゴンはキャビネットの横方向に対しほぼ中央へ自然に収納され、隣接するキャビネットがある場合にも扉を傷付けることなく出し入れすることができ、使い勝手が向上する。
【００３３】
２本のサイドフレーム１を連結する複数のフレーム（背板２、ボトムバー３、蹴込み板４）は、前面側から後面側に配置するに従って短くなっている。つまり、２本のボトムバー３を例にとると、前面側に配置されたものより後面側に配置されたもののほうが短い。左右のサイドフレーム１は上面から見ると、ハの字が形成されたように見え、先にキャビネット１５へ収納される側（後面側）の左右方向がすぼまった形となる。
【００３４】
ボトムバー３の底面にはキャスター５が具備され、これにて床面上の移動を自由にさせる。
【００３５】
図１に示すように、サイドフレーム１の後面側の後面フレームには、緩衝材６が具備され、収納時の万一の衝突を和らげ滑りを良くする。緩衝材６は、硬質の樹脂製で表面摩擦の小さいものを使用し、中央に開口を有するローラー形状とし、その開口にサイドフレーム１を貫通させることにより、サイドフレーム１に固定して取り付ける。これにより、ローラー形状の緩衝材６が収納空間の内壁１１に接触した場合でも、ローラー形状であるため接触箇所が尖っておらず滑らかな形状であり、また表面摩擦が小さいため樹脂製のローラーが収納空間の内壁１１を滑らかに滑ることにより、収納空間の内壁１１に傷がつくのを抑制できる。
【００３６】
図５に示すように、サイドフレームの前方の前面フレームには、扉８として化粧板を設け、キャビネット１５の収納空間１０の入口開口の全面を覆うサイズ、形状とする。これにより、キャビネット１５にワゴン９を収納した場合には、ワゴン９が隠れて見た目がよいので望ましい。
【００３７】
また、図５に示すように、化粧板（扉８）の横幅２２を、ワゴン９の前面フレームの横幅２０、および収納空間の横幅２１よりも広くし、かつ、ワゴン９の前面フレームの横幅２０からの左右のはみ出しが何れも収納空間１０の側面との隙間（前方すきま隙間１２）よりも大きくする。この場合には、ワゴン９の奥行き方向の全体が収納空間１０に収納された時点で、化粧板（扉８）のうち前面フレームの横幅２０からはみ出した部分が、収納空間１０の入口に引っかかると同時に、ワゴン９の収納空間１０への収納が完了したことがわかり、さらに、ワゴン９の設置位置が定まる効果を有するため、さらに使い勝手が向上する。
【００３８】
キャビネット１５が、ワゴン９以外に、少なくとも１つの引出を有する場合は、化粧板（扉８）の厚みをそのキャビネット１５の引出の扉の厚みと合せる。これにより、収納空間１０にワゴン９を収納した場合には、キャビネット１５の引出の扉とワゴン９の化粧板（扉８）の前面が面一となり、見た目がよい。
【００３９】
また、キャビネット１５が、ワゴン９以外に、複数の引出を有する場合は、図９に示すように、収納空間１０にワゴン９を収納した際に、ワゴン９の化粧板（扉８）とキャビネット１５の他の引出の扉との隙間の間隔２５が、キャビネット１５のワゴン９以外の各引出の扉同士の隙間の間隔２４と同一になるようにする。
このようにした場合には、キャビネット１５全体として、各引出の扉同士の隙間が統一されるので、美感が増す。なお、この場合において、各隙間の間隔２４、２５は、その全部が同一である必要はなく、縦方向だけ、または横方向だけ、またはこれらの各１部についてだけ同一であってもよい。このようにすることにより、キャビネット１５の各引出の扉やワゴン９の化粧板（扉８）との隙間の間隔２５の少なくとも１部に、間隔２４、２５の統一感が得られ、美感を向上させることができる。
【００４０】
また、化粧板（扉８）の色彩、模様、材質等の外観は、キャビネット１５の本体、または、ワゴン９以外の引出の扉の外観と統一したり、一定の変化を設けるようにする。これにより、キャビネット１５全体として外観の統一や変化が得られるので、美感が向上する。
【００４１】
なお、ワゴン９への化粧板（扉８）の取り付け位置は、前面フレームに限られず、その他の位置、例えば後面フレームやワゴン９の側面に取り付けてもよい。この場合は、ワゴン９を収納空間１０から取り出して使用する場合でも、ワゴン９の見た目がよくなる。
【００４２】
キャビネット１５に設けるワゴン９を収納するための収納空間１０は、図８に示すように、キャビネットの前面の一部に床面と同高さから開口される部分を設け、ワゴン９の全体が収納できるものとする。また、図６に示すように、収納空間の横幅２１をワゴン９の前面フレームの横幅２０よりも１ｍｍ前後広く、ワゴン９の後面フレームの横幅１９よりも１ｃｍ程度広くなるようにする。これにより、キャビネットの収納空間の内壁１１にガイド１８を設けることなく、ワゴン９の挿入開始時は隙間が広く入れ易く、挿入終了時にはワゴン９はキャビネット１５の収納空間１０の横方向に対しほぼ中央へ自然に収納され、隣接する引出がある場合にもその扉を傷付けることなく出し入れすることができ、使い勝手が向上する。
【００４３】
上記のキャビネット１５の収納空間１０、及びこれに挿入するワゴン９の動作について以下説明する。
まず、ワゴン９の収納空間への収納を開始しようとする時点では、図５に示すように、ワゴン９と収納空間の左右内壁１１との隙間（後方隙間１３）が大きいため、ワゴン９の後面フレームの横幅１９の全体を、収納空間の横幅２１の中に位置させるのは容易である。
次に、ワゴン９が収納空間１０の奥に行くに従って、ワゴン９の側面が、緩やかに外側へ向かって広がるため、このワゴン９の側面と収納空間の左右内壁１１とが面で擦れ合い、徐々にワゴン９は収納空間１０の横幅方向の中央部へと向かう。
ワゴン９を収納空間１０に収納終了時には、図６に示すように、ワゴン９の側面と収納空間の左右内壁１１との隙間（前方隙間１２）がほとんどなくなり、ワゴン９が収納空間の横幅２１のほぼ中央部に位置することになる。
【００４４】
本実施例では、ワゴン９にゴミ箱１４を載せてゴミ箱ワゴンとし、キッチンキャビネットに収納して使用する。この場合は、キッチンで生じたゴミを、ほとんど歩くことなく、キャビネット１５内のゴミ箱１４に捨てることができる。また、ゴミ箱ワゴンは、容易に収納空間１０に出し入れできる。また、ゴミをゴミ箱ワゴンに載せたまま、他の場所にある大きなゴミ箱まで運んで捨てることができる。さらに、ワゴン９の後面フレームは短いので、ゴミ箱１４の着脱も容易である。
【実施例２】
【００４５】
本発明の収納キャビネットの実施例２に使用するワゴンを図２に示す。また、実施例２に使用する緩衝材の断面図を図３に示す。
【００４６】
図２に示すように、ワゴン９のサイドフレーム１の後面側の後面フレームには、緩衝材６が具備され、収納時の万一の衝突を和らげる。軟質のゴム製で表面摩擦の大きい緩衝材６を使用し、その緩衝材６の中央に開口を有し、内径−外径差の大きいローラー形状とし、緩衝材６がセンターボルト２７によって、サイドフレームの先端に回転可能な状態で取り付ける。それ以外は、実施例１と同様である。
これにより、仮にワゴン９の緩衝材６が収納空間の入口の角に衝突しても、軟質なゴムが押しつぶされてへこみ衝撃を吸収するとともに、ローラーが回転して力の方向を変えて逃がしたり、ワゴンを押している操作中なら、収納空間１０の内側に誘導するといた高い効果が得られる。
【００４７】
実施例２に使用する緩衝材は、図３に示すように、サイドフレーム１の先端にパイプエンドキャップ２９を取付け、センターボルト２７によって軸受２６を介して、軟質ローラー２８をパイプエンドキャップ２９に回転可能な状態で取付ける。これにより、実施例２のワゴン９の収納空間の内壁１１に接触し易い箇所に、緩衝材６をしっかりと取付けることができ、緩衝材６の効果が高くなる。
【図面の簡単な説明】
【００４８】
【図１】本発明の実施例１に使用するワゴンの斜視図である。
【図２】本発明の実施例２に使用するワゴンの斜視図である。
【図３】本発明の実施例２に使用するワゴンの緩衝材の断面図である。
【図４】本発明に使用するワゴンの平面図である。
【図５】本発明に使用するワゴンと収納空間の平面図である。（ワゴン収納前）
【図６】本発明に使用するワゴンと収納空間の平面図である。（ワゴン収納後）
【図７】本発明に使用するゴミ箱ワゴンの斜視図である。
【図８】本発明に使用するキャビネットとゴミ箱ワゴンの斜視図である。（ゴミ箱ワゴン収納前）
【図９】本発明に使用するキャビネットとゴミ箱ワゴンの斜視図である。（ゴミ箱ワゴン収納後）
【図１０】本発明に使用するキャビネットとゴミ箱ワゴンの側面図である。（ゴミ箱ワゴン収納前）
【図１１】本発明に使用するキャビネットとゴミ箱ワゴンの側面図である。（ゴミ箱ワゴン収納後）
【図１２】従来例に使用するワゴンと収納空間の平面図である。（ワゴン収納前）
【図１３】従来例に使用するワゴンと収納空間の平面図である。（ワゴン収納後）
【図１４】従来例に使用するワゴンと収納空間の平面図である。（ワゴン収納前）
【図１５】従来例に使用するワゴンと収納空間の平面図である。（ワゴン収納後）
【図１６】従来例に使用するワゴンと収納空間の平面図である。（ワゴン収納前）
【図１７】従来例に使用するワゴンと収納空間の平面図である。（ワゴン収納後）
【符号の説明】
【００４９】
１…サイドフレーム、２…背板、３…ボトムバー、４…蹴込み板、５…キャスター、６…緩衝材、７…サイドバー、８…扉（化粧板）、９…ワゴン、１０…収納空間、１１…収納空間の内壁、１２…前方隙間、１３…後方隙間、１４…ゴミ箱、１５…キャビネット、１６…引出し、１７…引出しの前板、１８…ガイド、１９…後面フレームの横幅、２０…前面フレームの横幅、２１…収納空間の横幅、２２…扉の横幅、２３…前面フレームからの扉のはみ出し幅、２４…キャビネットの引出の扉間の隙間、２５…ワゴンの扉とキャビネットの引出の扉間の隙間、２６…軸受、２７…センターボルト、２８…軟質ローラー、２９…パイプエンドキャップ（ナット入）
【図１】
2007135895.tif 000003
【図２】
2007135895.tif 000004
【図３】
2007135895.tif 000005
【図４】
2007135895.tif 000006
【図５】
2007135895.tif 000007
【図６】
2007135895.tif 000008
【図７】
2007135895.tif 000009
【図８】
2007135895.tif 000010
【図９】
2007135895.tif 000011
【図１０】
2007135895.tif 000012
【図１１】
2007135895.tif 000013
【図１２】
2007135895.tif 000014
【図１３】
2007135895.tif 000015
【図１４】
2007135895.tif 000016
【図１５】
2007135895.tif 000017
【図１６】
2007135895.tif 000018
【図１７】
2007135895.tif 000019